(57)【要約】      （修正有）【課題】しおりひもがない本やノートなどに、簡易的にしおりひもを付けることにより、本を傷めることや、しおりが落ちる心配をせずに場所をとらず携帯が容易なもので、安価にしおりひもの便利なところを利用することが出来る脱着可能なしおりひもを提供する。【解決手段】便利しおりひもは、形が本１の頁と頁の間に挟むときに背表紙側になる部分が直線の本体３と、その本体３の直線部分の上端ａに片方の先端が取り付けられたひもから構成され、本体３が本１の摩擦力や弱い粘着力を有する。【選択図】図１
2011245635.tif 000002
【特許請求の範囲】
【請求項１】
ひもを固定する本体と、その本体に固定されたひもからなる特徴とする便利しおりひも。
【請求項２】
前記ひもを固定する本体は、本に挟まる頁と頁の面との粘着力や摩擦力を考え利用し、本にはさむときに背表紙側になる面が直線の形をしたことを特徴とする請求項１記載の便利しおりひも。    
【請求項３】
請求項１のひもの片方の先端は、請求項２の本体の本にはさむときに背表紙側になる直線の上端に取り付けられていることを特徴とする請求項１記載の便利しおりひも。
【発明の詳細な説明】
【技術分野】
【０００１】
本発明は、しおりひもがない本などを、簡易的にしおりひもを付け、しおりひもが
ある本と同様な使い方が出来るようにすることに関するものである。    
【背景技術】
【０００２】
しおりひもがない本を読むときは、次回に開きたい頁をすぐに開けられるようにし
おりを使いながら読むことが多い、しかし読書中及び本の開閉時にしおりが落ちてし
まうことがある。
【０００３】
そこでしおりひもがない本に簡易的なしおりひもを取り付けることによりしおりひもの便利さを使えるような考えが色々出されている。
【０００４】
特許文献１（実開平５−５８３４１号）特許文献２（実開平５−９１８６４号）特許文献３（実開平６−５９０６６号）特許文献４（特開２００３−２５１９６１号）特許文献５（特開２００７−６２３４０号）特許文献６（特開２００７−６２３４０号）各特許は、本のしおりひもを本の外側に設置する方法をとっているが、設置する粘着が強ければ本を傷めることが考えられ、設置する粘着力が弱ければ外れてしまうことになる。
【０００５】
特許文献７（特開２００９−４５８３７号）は、使わないときにはかさばることから本などをと伴わない携帯には不向きで、部品点数も６点以上で製作コストも高くなる可能性がある。
【先行技術文献】
【特許文献】
【０００６】
【特許文献１】実開平５−５８３４１号
【特許文献２】実開平５−９１８６４号
【特許文献３】実開平６−５９０６６号
【特許文献４】実開平６−８１７６１号
【特許文献５】特開２００３−２５１９６１号
【特許文献６】特開２００７−６２３４０号
【特許文献７】特開２００９−４５８３７号
【発明の概要】
【発明が解決しようとする課題】
【０００７】
従来のしおりによれば、本の開閉時や読書中などに、しおりの落下に注意しなければならない。またしおりひものある本に比べて本を開きにくい。
【０００８】
本発明は、上記の問題点や本の外側にしおりひもを設置する問題点の、本を傷めることやしおりひもの取り付けが外れることのほか、携帯性や製造コストなどを含めて改善することを目的とする。
【課題を解決するための手段】
【０００９】
本発明は上記目的を達成するため請求項１に記載の便利しおりひもは、本のとりあえず見ない頁と頁の間にひもを取り付けた本体を挟み、その本体に取り付けられたひもを使ってしおりひもとして利用ができる。
【００１０】
かかる構成により、しおりひものない本、雑誌、地図、ノートなど 、とりあえず見ない頁と頁の間に本体を挟み、その本体についているひもを使い次回開きたいと思う頁と頁の間に挟むことにより、ひもが、しおりひもとして利用することが出来る。
【００１１】
上記目的を達成するため請求項１に記載の本体の形は、本にはさむときに背表紙側になる面が直線であり、全部又は部分が摩擦力または弱い粘着力を利用した本体で、本にはさむときに背表紙側になる直線の面の上端にひもが取り付けられている。
【００１２】
かかる構成により本体の形が、本にはさむときに背表紙側になる面が直線になっていることにより、本体を本に固定するため、とりあえず見ない頁と頁の間に挟む時に、頁の背表紙の少しでも近くに挟むことができる、すなわち挟む力が一番強いところに本体を挟むことになり本体がずれにくくなる。
また、本の頁との摩擦力または弱い粘着力を使って、より本体の固定を強くする。さらに、本に本体を挟む時に背表紙側になる面を直線にすることにより、挟むひもも、少しでも背表紙側に近づくために、しおりひもとして使うひもも、通常のしおりひもと同様に使える場所に近づけることになる。
また、上記に固定された本にはさむときに背表紙側になる直線の上端にひもを取り付けることにより、ひもを使って本を開くなどの力が加わったときに、一番動きにくい本体の支点に取り付けけることになるためずれにくくなるため、安心してしおりひもとして使用することが出来る。
【発明の効果】
【００１３】
以上の本発明により、しおりひもの付いていない書籍だけでなく、地図帳や週刊誌、ノートまでしおりが落ちることを気にせず、しおりひもの便利さを利用することが出来る。
【００１４】
また、薄い本体とひもだけとゆう場所をとらないため携帯することも容易で、制作費も安価で、本を傷めることのない安心して使える、しおりひもの便利さを利用することが出来る。
【図面の簡単な説明】
【００１５】
【図１】本発明の使用状態を示した斜視図である。
【図２】本発明の便利しおりひもを示した平面図である。
【発明を実施するための形態】
【００１６】
以下、図面を参照して本発明の実施形態について説明する。
【００１７】
本発明の便利しおりひも２は、図１に示すように本１のとりあえず見ない頁と頁のところに本体３を挟み、その本体３にひも４の片方に一端に付いているひも４を使って次のときに開きたい頁のところにひも４を挟み使用する。よってしおりひものない本や地図帳、雑誌、ノートまで全て対応できる。
【００１８】
図２は、便利しおりひも２の平面図で本体３の本１にはさむときに背表紙側になる面が直線になっているために、本体３が少しでも背表紙に近いところに挟むことが出来る。
本体３を本１に挟むときには、背表紙に近ければ近いほど頁と頁が本体３を挟む力が強くなるため、本体３の摩擦力又は弱い粘着力があいまって本体３が本１に固定されることになる。
【００１９】
図２に示すように、ひも２の片方の先端が本１にはさむときに背表紙側になる直線の面の上端ａに取り付いていることにより、他方のひも４の先端を開きたい頁を見るために力を加えても、一番動きにくい本体３の支点になるために本体３はずれにくい。
【００２０】
また、図２に示す本体３は、本１の頁に対する摩擦力や弱い粘着力が必要だが、摩擦力や粘着力が強すぎて頁を傷める材質を使わない。また本体４の形は、本１にはさむときに背表紙側になる面が直線であれば、本１に挟んだときに本１からはみ出さない限り自由な形が出来、大きさは摩擦力や弱い粘着力の面積により最小の大きさが決まる。
【００２１】
図２の便利しおりひも２は、本体３とひも４の２点の構成になっており、製作コストが安価にできると共に、形状も平らなために場所も取らず携帯にも便利である。
【符号の説明】
【００２２】
１    本
２    便利しおりひも
３    本体
４    ひも
ａ    上端
【図１】
2011245635.tif 000003
【図２】
2011245635.tif 000004